(57)【要約】【課題】複雑な制御を行うことなく接続検知および過電流検知を行うことが可能な電子機器を提供する。【解決手段】このＢＤレコーダ（電子機器）１００は、機器８が接続されるコネクタ部７と、コネクタ部７に機器８が接続されたか否かの接続検知を行うための接続検知部６１と、コネクタ部７に機器８が接続された状態で過電流が発生したか否かの過電流検知を行うための過電流検知部６２と、接続検知部６１と過電流検知部６２とに接続された共通の検知ライン１０と、共通の検知ライン１０に接続され、接続検知部６１および過電流検知部６２の動作の制御を行うサブマイコン５とを備える。サブマイコン５は、接続検知部６１および過電流検知部６２を動作させた際に共通の検知ライン１０を介して入力される電圧値に基づいて、接続検知および過電流検知を行うように構成されている。【選択図】図３
2014138464.tif 000002
【特許請求の範囲】
【請求項１】
機器が接続されるコネクタ部と、
前記コネクタ部に前記機器が接続されたか否かの接続検知を行うための接続検知部と、
前記コネクタ部に前記機器が接続された状態で過電流が発生したか否かの過電流検知を行うための過電流検知部と、
前記接続検知部と前記過電流検知部とに接続された共通の検知ラインと、
前記共通の検知ラインに接続され、前記接続検知部および前記過電流検知部の動作の制御を行う制御部とを備え、
前記制御部は、前記接続検知部および前記過電流検知部を動作させた際に前記共通の検知ラインを介して入力される電圧値に基づいて、前記接続検知および前記過電流検知を行うように構成されている、電子機器。
【請求項２】
前記共通の検知ラインは、前記制御部の１つのポートに接続されている、請求項１に記載の電子機器。
【請求項３】
前記制御部は、前記接続検知部を動作させた際に前記共通の検知ラインを介して入力される電圧値が第１電圧範囲内の電圧値になったことに基づいて、前記コネクタ部に前記機器が接続されたことを検知するように構成されている、請求項１または２に記載の電子機器。
【請求項４】
前記接続検知部は、前記コネクタ部に前記機器が接続された場合に、前記共通の検知ラインを接地することにより、前記共通の検知ラインを介して前記制御部に入力される電圧値を前記第１電圧範囲内にするように構成されている、請求項３に記載の電子機器。
【請求項５】
前記制御部は、前記過電流検知部を動作させた際に前記共通の検知ラインを介して入力される電圧値が前記第１電圧範囲とは異なる第２電圧範囲内の電圧値になったことに基づいて、前記コネクタ部に前記機器が接続された状態で過電流が発生したことを検知するように構成されている、請求項３または４に記載の電子機器。
【請求項６】
前記過電流検知部は、前記コネクタ部に前記機器が接続された状態で過電流が発生した場合に、前記共通の検知ラインを接地することにより、前記共通の検知ラインを介して前記制御部に入力される電圧値を前記第２電圧範囲内にするように構成されている、請求項５に記載の電子機器。
【請求項７】
前記制御部は、前記接続検知部を動作させた際に前記共通の検知ラインを介して入力される電圧値に基づいて、前記コネクタ部に前記機器が接続されたことを検知した場合に、前記過電流検知部の動作を開始させて、前記過電流検知部を動作させた際に前記共通の検知ラインを介して入力される電圧値を監視するように構成されている、請求項１〜６のいずれか１項に記載の電子機器。
【請求項８】
前記制御部は、前記過電流検知部の動作を開始させてから所定の時間が経過した後に、前記共通の検知ラインを介して入力される電圧値の監視を開始するように構成されている、請求項７に記載の電子機器。
【請求項９】
前記制御部は、前記過電流検知部の動作を開始させた場合には、前記接続検知部の動作を停止させるように構成されている、請求項７または８に記載の電子機器。
【請求項１０】
前記制御部は、前記接続検知部を動作させた際に前記共通の検知ラインを介して入力される電圧値に基づいて、前記コネクタ部に前記機器が接続されたことを検知しない場合には、前記接続検知部の動作を停止させるとともに、前記過電流検知部の動作を開始させないように構成されている、請求項７〜９のいずれか１項に記載の電子機器。
【請求項１１】
前記接続検知部に接続された第１スイッチ部と、
前記過電流検知部に接続された第２スイッチ部とをさらに備え、
前記制御部は、前記第１スイッチ部および前記第２スイッチ部をそれぞれ切り替えることにより、前記接続検知部および前記過電流検知部の動作の制御を行うように構成されている、請求項１〜１０のいずれか１項に記載の電子機器。
【請求項１２】
前記接続検知および前記過電流検知の検知結果をユーザに報知するための報知部をさらに備える、請求項１〜１１のいずれか１項に記載の電子機器。
【発明の詳細な説明】
【技術分野】
【０００１】
この発明は、電子機器に関し、特に、接続検知部と過電流検知部とを備えた電子機器に関する。
【背景技術】
【０００２】
従来、接続検知部と過電流検知部とを備えた電子機器が知られている（たとえば、特許文献１参照）。
【０００３】
上記特許文献１には、電源供給端子（コネクタ部）に端末機器が接続されたか否かの接続検知を行う接続検知部と、電源供給端子に端末機器が接続された状態で過電流が発生したか否かの過電流検知を行うための電流監視部（過電流検知部）と、接続検知部および電流監視部の検知結果に基づいて端末機器への電源供給を制御する制御部とを備えた電源供給装置（電子機器）が開示されている。この電子機器では、接続検知部および電流監視部の検知結果が、制御部に設けられた２つのポートにそれぞれ別々に入力されると考えられる。
【先行技術文献】
【特許文献】
【０００４】
【特許文献１】特開２００６−２５４６５８号公報
【発明の概要】
【発明が解決しようとする課題】
【０００５】
しかしながら、上記特許文献１に開示された電源供給装置（電子機器）では、接続検知部および電流監視部（過電流検知部）の検知結果が制御部の２つのポートにそれぞれ別々に入力されると考えられるため、制御部が、接続検知部および電流監視部（過電流検知部）の検知結果をそれぞれ別々に監視する必要があると考えられる。このため、接続検知および過電流検知を行う際に複雑な制御を行う必要があるという問題点があると考えられる。
【０００６】
この発明は、上記のような課題を解決するためになされたものであり、この発明の１つの目的は、複雑な制御を行うことなく接続検知および過電流検知を行うことが可能な電子機器を提供することである。
【課題を解決するための手段】
【０００７】
上記目的を達成するために、この発明の一の局面による電子機器は、機器が接続されるコネクタ部と、コネクタ部に機器が接続されたか否かの接続検知を行うための接続検知部と、コネクタ部に機器が接続された状態で過電流が発生したか否かの過電流検知を行うための過電流検知部と、接続検知部と過電流検知部とに接続された共通の検知ラインと、共通の検知ラインに接続され、接続検知部および過電流検知部の動作の制御を行う制御部とを備え、制御部は、接続検知部および過電流検知部を動作させた際に共通の検知ラインを介して入力される電圧値に基づいて、接続検知および過電流検知を行うように構成されている。
【０００８】
この発明の一の局面による電子機器では、上記のように構成することによって、共通の検知ラインを介して入力される電圧値を監視するだけで、接続検知および過電流検知の両方を行うことができるので、複雑な制御を行うことなく接続検知および過電流検知を行うことができる。
【０００９】
上記一の局面による電子機器において、共通の検知ラインは、制御部の１つのポートに接続されている。このように構成すれば、接続検知部および過電流検知部の検知結果が制御部の２つのポートにそれぞれ別々に入力される場合と異なり、接続検知部および過電流検知部の検知結果が共通の検知ラインを介して制御部の１つのポートに入力されるので、接続検知および過電流検知の両方を１つのポートによって容易に行うことができるとともに、接続検知および過電流検知を行うための回路構成を簡略化することができる。また、制御部の１つのポート以外の残りのポートを全て他の制御に使用することができるので、制御部の制御対象を増加させることができる。
【００１０】
上記一の局面による電子機器において、好ましくは、制御部は、接続検知部を動作させた際に共通の検知ラインを介して入力される電圧値が第１電圧範囲内の電圧値になったことに基づいて、コネクタ部に機器が接続されたことを検知するように構成されている。このように構成すれば、共通の検知ラインを介して入力される電圧値が第１電圧範囲内の電圧値になったか否かを監視することにより、接続検知を容易に行うことができる。
【００１１】
この場合、好ましくは、接続検知部は、コネクタ部に機器が接続された場合に、共通の検知ラインを接地することにより、共通の検知ラインを介して制御部に入力される電圧値を第１電圧範囲内にするように構成されている。このように構成すれば、コネクタ部に機器が接続された場合には、共通の検知ラインが接地されるので、コネクタ部に機器が接続された場合に、容易に、共通の検知ラインを介して制御部に入力される電圧値を第１電圧範囲内にすることができる。
【００１２】
上記入力される電圧値が第１電圧範囲内の電圧値になったことに基づいてコネクタ部に機器が接続されたことを検知するように構成されている電子機器において、好ましくは、制御部は、過電流検知部を動作させた際に共通の検知ラインを介して入力される電圧値が第１電圧範囲とは異なる第２電圧範囲内の電圧値になったことに基づいて、コネクタ部に機器が接続された状態で過電流が発生したことを検知するように構成されている。このように構成すれば、第２電圧範囲内の電圧値になったか否かを監視することにより、過電流検知を容易に行うことができる。
【００１３】
この場合、好ましくは、過電流検知部は、コネクタ部に機器が接続された状態で過電流が発生した場合に、共通の検知ラインを接地することにより、共通の検知ラインを介して制御部に入力される電圧値を第２電圧範囲内にするように構成されている。このように構成すれば、コネクタ部に機器が接続された状態で過電流が発生した場合には、共通の検知ラインが接地されるので、過電流が発生した場合に、容易に、共通の検知ラインを介して制御部に入力される電圧値を第２電圧範囲内にすることができる。
【００１４】
上記一の局面による電子機器において、好ましくは、制御部は、接続検知部を動作させた際に共通の検知ラインを介して入力される電圧値に基づいて、コネクタ部に機器が接続されたことを検知した場合に、過電流検知部の動作を開始させて、過電流検知部を動作させた際に共通の検知ラインを介して入力される電圧値を監視するように構成されている。このように構成すれば、コネクタ部に機器が接続された場合に、過電流検知部の動作が開始されるので、コネクタ部に機器が接続されていない状態で過電流検知部が動作することに起因する不要な消費電力を低減することができる。
【００１５】
この場合、好ましくは、制御部は、過電流検知部の動作を開始させてから所定の時間が経過した後に、共通の検知ラインを介して入力される電圧値の監視を開始するように構成されている。このように構成すれば、過電流検知部の動作が開始されてから所定の時間が経過した後の安定した状態の電圧値に基づいて、過電流検知を正確に行うことができる。
【００１６】
上記コネクタ部に機器が接続されたことを検知した場合に過電流検知部の動作を開始させる電子機器において、好ましくは、制御部は、過電流検知部の動作を開始させた場合には、接続検知部の動作を停止させるように構成されている。このように構成すれば、過電流検知が行われる際に、過電流検知部と接続検知部とが両方動作することがないので、過電流検知が行われる際に接続検知部が動作することに起因する誤検知を抑制することができる。
【００１７】
上記コネクタ部に機器が接続されたことを検知した場合に過電流検知部の動作を開始させる電子機器において、好ましくは、制御部は、接続検知部を動作させた際に共通の検知ラインを介して入力される電圧値に基づいて、コネクタ部に機器が接続されたことを検知しない場合には、接続検知部の動作を停止させるとともに、過電流検知部の動作を開始させないように構成されている。このように構成すれば、コネクタ部に機器が接続されたことが検知されない場合には、過電流検知部の動作が開始されないので、コネクタ部に機器が接続されていない状態で過電流検知部が動作することに起因する不要な消費電力を容易に低減することができる。
【００１８】
上記一の局面による電子機器において、好ましくは、接続検知部に接続された第１スイッチ部と、過電流検知部に接続された第２スイッチ部とをさらに備え、制御部は、第１スイッチ部および第２スイッチ部をそれぞれ切り替えることにより、接続検知部および過電流検知部の動作の制御を行うように構成されている。このように構成すれば、第１スイッチ部および第２スイッチ部により、接続検知部および過電流検知部の動作の開始および停止を容易に切り替えることができる。
【００１９】
上記一の局面による電子機器において、好ましくは、接続検知および過電流検知の検知結果をユーザに報知するための報知部をさらに備える。このように構成すれば、報知部により、接続検知および過電流検知の検知結果を容易にユーザに報知することができる。
【発明の効果】
【００２０】
本発明によれば、上記のように、複雑な制御を行うことなく接続検知および過電流検知を行うことができる。
【図面の簡単な説明】
【００２１】
【図１】本発明の一実施形態によるＢＤレコーダの全体構成を示したブロック図である。
【図２】図１に示したＢＤレコーダの異常検知部の詳細な構成を示したブロック図である。
【図３】図２に示した異常検知部の回路図である。
【図４】本発明の一実施形態によるＢＤレコーダの正常動作時における動作を説明するためのタイミングチャートである。
【図５】本発明の一実施形態によるＢＤレコーダの未接続検知時における動作を説明するためのタイミングチャートである。
【図６】本発明の一実施形態によるＢＤレコーダの過電流検知時における動作を説明するためのタイミングチャートである。
【図７】本発明の一実施形態によるディスク装置のサブマイコンにより接続検知および過電流検知が行われる際に実行される処理フローを示したフローチャートである。
【発明を実施するための形態】
【００２２】
以下、本発明の実施形態を図面に基づいて説明する。
【００２３】
まず、図１および図２を参照して、本発明の一実施形態によるＢＤ（Ｂｌｕ−Ｒａｙ（登録商標）  Ｄｉｓｃ）レコーダ１００の構成について説明する。なお、ＢＤレコーダ１００は、本発明の「電子機器」の一例である。このＢＤレコーダ１００は、ＤＶＤ（Ｄｉｇｉｔａｌ  Ｖｅｒｓａｔｉｌｅ  Ｄｉｓｃ）やＢＤなどのディスク型記録媒体（光ディスク）に記録された映像・音声データを外部機器（たとえば表示装置２００）に出力可能であるとともに、外部機器から入力される映像・音声データを光ディスクに記録可能に構成された記録再生装置である。
【００２４】
図１に示すように、ＢＤレコーダ１００は、電源部１と、メインマイコン（マイクロコンピュータ）２と、映像・音声処理部３と、映像・音声入出力Ｉ／Ｆ（インターフェース）とを備える。また、ＢＤレコーダ１００は、サブマイコン（マイクロコンピュータ）５と、複数（図１では、３つ）の異常検知部６と、複数の異常検知部６に対応する複数（３つ）のコネクタ部７と、複数のコネクタ部７にそれぞれ接続された複数（３つ）の機器８（ＨＤＤ（Ｈａｒｄ  Ｄｉｓｃ  Ｄｒｉｖｅ）８ａ、ディスクドライブ８ｂおよび冷却ファン８ｃ）と、報知部９とを備える。なお、サブマイコン５は、本発明の「制御部」の一例である。また、ＨＤＤ８ａ、ディスクドライブ８ｂおよび冷却ファン８ｃは、本発明の「機器」の一例である。
【００２５】
電源部１は、ＢＤレコーダ１００の各部に電力を供給するために設けられている。また、メインマイコン２は、ＢＤレコーダ１００が有する映像・音声記録再生機能の制御を行うように構成されている。また、映像・音声処理部３は、映像・音声データのエンコードおよびデコードを行うように構成されている。また、映像・音声入出力Ｉ／Ｆは、映像・音声処理部３から出力された映像・音声データを表示装置２００に出力するとともに、表示装置２００から入力された映像・データを映像・音声処理部３に出力するように構成されている。
【００２６】
サブマイコン５は、電源部１からＢＤレコーダ１００の各部への電源供給を制御することにより、ＢＤレコーダ１００の各部の動作の制御を行うように構成されている。また、複数の異常検知部６は、それぞれ、ＢＤレコーダ１００の製造（組立）段階などにおいて複数のコネクタ部７の各々に機器８（ＨＤＤ８ａ、ディスクドライブ８ｂまたは冷却ファン８ｃ）が接続される場合に発生する種々の異常を検知するように構成されている。
【００２７】
具体的には、異常検知部６は、機器８がコネクタ部７に接続されていない状態で電源部１がオン状態となることにより発生する異常（未接続エラー）と、故障（短絡）した機器８がコネクタ部７に接続された状態で電源部１がオン状態となることにより発生する異常（過電流エラー）とを検知するために設けられている。すなわち、図２に示すように、異常検知部６は、コネクタ部７に機器８が接続されたか否かの接続検知（未接続エラーの発生の有無の検知）を行うための接続検知部６１と、コネクタ部７に機器８が接続された状態で過電流が発生したか否かの過電流検知（過電流エラーの発生の有無の検知）を行うための過電流検知部６２とを含む。
【００２８】
ここで、本実施形態では、接続検知部６１および過電流検知部６２は、共に、サブマイコン５の１つのＡ／Ｄ（アナログ／デジタル）ポート５ａに接続された共通の検知ライン１０に接続されている。そして、サブマイコン５は、接続検知部６１および過電流検知部６２を動作させた際に共通の検知ライン１０を介して入力される電圧値に基づいて、異常検知（接続検知および過電流検知）を行うように構成されている。なお、機器８が何らの故障もなく動作する正常動作時では、サブマイコン５の１つのＡ／Ｄポート５ａには、電源部１に接続された後述する電圧出力部１ａ（図３参照）から所定のＨレベルの電圧値Ｖ０（約３．３Ｖ）を有する電圧が入力されている。なお、Ａ／Ｄポート５ａは、本発明の「ポート」の一例である。
【００２９】
サブマイコン５は、接続検知部６１を動作させた際に共通の検知ライン１０を介して入力される電圧値に基づいて、コネクタ部７に機器８が接続されたことを検知した場合に、過電流検知部６２の動作を開始させて、過電流検知部６２を動作させた際に共通の検知ライン１０を介して入力される電圧値を監視するように構成されている。また、サブマイコン５は、過電流検知部６２の動作を開始させてから所定の時間τ１（詳細は、後述する図４〜図６参照）が経過した後に、共通の検知ライン１０を介して入力される電圧値の監視を開始するように構成されている。
【００３０】
また、サブマイコン５は、接続検知部６１による接続検知を行った後に、過電流検知部６２の動作を開始させた場合には、接続検知部６１の動作を停止させるように構成されている。具体的には、サブマイコン５は、過電流検知部６２の動作を開始させてから所定の時間τ２（詳細は、後述する図４〜図６参照）が経過した後に、接続検知部６１の駆動を停止させるように構成されている。また、サブマイコン５は、接続検知部６１を動作させた際に共通の検知ライン１０を介して入力される電圧値に基づいて、コネクタ部７に機器８が接続されたことを検知しない場合には、接続検知部６１の動作を停止させるとともに、過電流検知部６２の動作を開始させないように構成されている。
【００３１】
ここで、サブマイコン５は、接続検知部６１を動作させた際に共通の検知ライン１０を介して入力される電圧値が初期値であるＨレベルの電圧値Ｖ０（約３．３Ｖ）から中間レベル（第１電圧範囲内）の電圧値Ｖ１（約１．７Ｖ）になったことに基づいて、コネクタ部７に機器８が接続されたことを検知するように構成されている。すなわち、接続検知部６１は、コネクタ部７に機器８が接続された場合に、共通の検知ライン１０を接地する（詳細は、後述する）ことにより、共通の検知ライン１０を介してサブマイコン５に入力される電圧値を電圧値Ｖ１にするように構成されている。
【００３２】
また、サブマイコン５は、過電流検知部６２を動作させた際に共通の検知ライン１０を介して入力される電圧値が中間レベル（第１電圧範囲内）の電圧値Ｖ１（約１．７Ｖ）からＬレベル（第２電圧範囲内）の電圧値Ｖ２（約０Ｖ）になったことに基づいて、コネクタ部７に機器８が接続された状態で過電流が発生したことを検知するように構成されている。すなわち、過電流検知部６２は、コネクタ部７に機器８が接続された状態で過電流が発生した場合に、共通の検知ライン１０を接地する（詳細は、後述する）ことにより、共通の検知ライン１０を介してサブマイコン５に入力される電圧値を電圧値Ｖ２にするように構成されている。
【００３３】
ここで、サブマイコン５は、検知ライン１０を介して１つのポート５ａに入力される電圧の電圧値が２．５Ｖ（第１しきい値）以上である場合（たとえば、上記のように電圧値Ｖ０（約３．３Ｖ）の電圧が１つのポート５ａに入力されている場合）に、その電圧値がＨレベルであると判断するように構成されている。また、サブマイコン５は、検知ライン１０を介して１つのポート５ａに入力される電圧の電圧値が１．０Ｖ（第２しきい値）以下である場合（たとえば、上記のように電圧値Ｖ２（約０Ｖ）の電圧が１つのポート５ａに入力されている場合）に、その電圧値がＬレベル（第２電圧範囲内）であると判断するように構成されている。また、サブマイコン５は、検知ライン１０を介して１つのポート５ａに入力される電圧の電圧値が第１しきい値（２．５Ｖ）と第２しきい値（１．０Ｖ）との間の電圧値である場合（たとえば、上記のように電圧値Ｖ１（約１．７Ｖ）の電圧が１つのポート５ａに入力されている場合）に、その電圧値が中間レベル（第１電圧範囲内）であると判断するように構成されている。
【００３４】
なお、接続検知部６１および過電流検知部６２には、それぞれ、接続検知部６１および過電流検知部６２の動作のオンオフ（開始および停止）を切り替えるための第１スイッチ部６３および第２スイッチ部６４が接続されている。そして、サブマイコン５は、第１スイッチ部６３および第２スイッチ部６４をそれぞれ切り替えることにより、接続検知部６１および過電流検知部６２の動作の制御を行うように構成されている。
【００３５】
また、報知部９は、サブマイコン５による接続検知および過電流検知の検知結果をユーザに報知するために設けられている。この報知部９は、たとえば、コネクタ部７に機器８が接続されていない旨（未接続エラー）と、コネクタ部７に接続された機器８の故障（短絡）などに起因して過電流が発生した旨（過電流エラー）とを表示可能な表示部により構成されている。
【００３６】
次に、図３を参照して、本発明の一実施形態によるＢＤレコーダ１００の異常検知部６の具体的な回路構成について説明する。
【００３７】
図３に示すように、異常検知部６は、トランジスタ（バイポーラトランジスタ）ＴＲ１を含む検知回路部６１ａと、トランジスタ（バイポーラトランジスタ）ＴＲ２を含む接地回路部６１ｂとを有する。これらの検知回路部６１ａおよび接地回路部６１ｂにより、接続検知部６１（図２参照）が構成されている。また、異常検知部６は、トランジスタ（バイポーラトランジスタ）ＴＲ３を含む検知回路部６２ａと、トランジスタ（バイポーラトランジスタ）ＴＲ４を含む接地回路部６２ｂとを有する。これらの検知回路部６２ａおよび接地回路部６２ｂにより、過電流検知部６２（図２参照）が構成されている。
【００３８】
また、異常検知部６は、トランジスタ（電界効果型トランジスタ）ＴＲ５およびトランジスタ（バイポーラトランジスタ）ＴＲ６を含む第１スイッチ部６３と、トランジスタ（電界効果型トランジスタ）ＴＲ７およびトランジスタ（バイポーラトランジスタ）ＴＲ８を含む第２スイッチ部６４とをさらに有する。以下では、検知回路部６１ａ、接地回路部６１ｂ、第１スイッチ部６３、検知回路部６２ａ、接地回路部６２ｂおよび第２スイッチ部６４の各々の回路構成について詳細に説明する。
【００３９】
図３に示すように、検知回路部６１ａは、トランジスタＴＲ１と、コンデンサＣ１と、抵抗Ｒ１と、抵抗Ｒ２とを含む。トランジスタＴＲ１のエミッタＥは、ダイオードＤと電解コンデンサＣ２とからなる整流回路部６５を介して電源部１に接続されている。また、トランジスタＴＲ１のエミッタＥは、コンデンサＣ１の一方電極と、抵抗Ｒ１の一方端とに接続されている。また、トランジスタＴＲ１のベースＢは、コンデンサＣ１の他方電極と、抵抗Ｒ２の一方端とに接続されている。なお、抵抗Ｒ１の他方端と、抵抗Ｒ２の他方端とは、互いに接続されている。また、抵抗Ｒ１の抵抗値（約２２Ω）は、後述する抵抗Ｒ９（約０．２２Ω）よりも十分に大きく設定されている。これは、コネクタ部７に接続された機器８の定格電流値（機器８が故障せずに安定して動作する最大の電流値）よりも小さい電流値で検知回路部６１ａを動作させるためである。なお、この場合、抵抗Ｒ９による電圧降下によって機器８が動作不可能になるのを回避するために、抵抗Ｒ９の抵抗値を過度に大きく設定しないようにする必要がある。
【００４０】
また、接地回路部６１ｂは、トランジスタＴＲ２と、抵抗Ｒ３と、抵抗Ｒ４と、抵抗Ｒ５とを含む。トランジスタＴＲ２のベースＢは、抵抗Ｒ３を介してトランジスタＴＲ１のコレクタＣに接続されている。また、トランジスタＴＲ２のベースＢは、抵抗Ｒ４を介して接地されている。また、トランジスタＴＲ２のエミッタＥは、抵抗Ｒ５を介して接地されている。また、トランジスタＴＲ２のコレクタＣは、サブマイコン５の１つのＡ／Ｄポート５ａに接続された検知ライン１０に接続されている。なお、検知ライン１０は、抵抗Ｒ６を介して電圧出力部１ａ（出力電圧値Ｖ０：約３．３Ｖ）に接続されている。ここで、抵抗Ｒ５およびＲ６は、互いに抵抗値が略等しく設定されている。これにより、トランジスタＴＲ２がオン状態となって検知ライン１０が抵抗Ｒ５を介して接地された場合には、電圧出力部１ａからの出力電圧（約３．３Ｖ）が、互いに抵抗値が略等しい抵抗Ｒ５およびＲ６により分圧されるので、検知ライン１０に供給される電圧値は、電圧出力部１ａの出力電圧値であるＨレベルの電圧値Ｖ０（約３．３Ｖ）の略半分の、中間レベルの電圧値Ｖ１（約１．７Ｖ）となる。
【００４１】
また、第１スイッチ部６３は、トランジスタＴＲ５と、抵抗Ｒ７と、抵抗Ｒ８と、トランジスタＴＲ６とを含む。トランジスタＴＲ５のドレインＤは、検知回路部６１ａの抵抗Ｒ１および抵抗Ｒ２の他方端に接続されている。また、トランジスタＴＲ５のソースＳは、コネクタ部７に接続されている。また、トランジスタＴＲ５のゲートＧは、抵抗Ｒ７を介してトランジスタＴＲ５のドレインＤに接続されているとともに、抵抗Ｒ８を介してトランジスタＴＲ６のコレクタＣに接続されている。なお、トランジスタＴＲ６のベースＢは、サブマイコン５の検知ライン１０が接続されたＡ／Ｄポート５ａとは異なるポートに接続されているとともに、トランジスタＴＲ６のエミッタＥは、接地されている。
【００４２】
また、検知回路部６２ａは、トランジスタＴＲ３と、コンデンサＣ３と、抵抗Ｒ９と、抵抗Ｒ１０とを含む。トランジスタＴＲ３のエミッタＥは、検知回路部６１ａのトランジスタＴＲ１のエミッタＥと、コンデンサＣ１の一方電極とに接続されている。また、トランジスタＴＲ３のエミッタＥは、コンデンサＣ３の一方電極と、抵抗Ｒ９の一方端とに接続されている。また、トランジスタＴＲ３のベースＢは、コンデンサＣ３の他方電極と、抵抗Ｒ１０の一方端とに接続されている。なお、抵抗Ｒ９の他方端と、抵抗Ｒ１０の他方端とは、互いに接続されている。ここで、上記のように、抵抗Ｒ９の抵抗値（約０．２２Ω）は、抵抗Ｒ１（約２２Ω）よりも十分に小さく設定されている。これは、コネクタ部７に接続された機器８のピーク電流値（機器８が正常に動作している状態で機器８に流れる電流のピーク値）よりも大きい電流値で検知回路部６２ａを動作させるためである。
【００４３】
また、接地回路部６２ｂは、トランジスタＴＲ４を含む。トランジスタＴＲ４のベースＢは、トランジスタＴＲ３のコレクタＣに接続されている。また、トランジスタＴＲ４のコレクタＣは、サブマイコン５の１つのＡ／Ｄポート５ａに接続された検知ライン１０に接続されている。なお、トランジスタＴＲ４のエミッタＥは、接地されている。これにより、トランジスタＴＲ４がオン状態となって検知ライン１０が接地された場合には、検知ライン１０に供給される電圧値がＬレベルの電圧値Ｖ２（約０Ｖ）となる。
【００４４】
また、第２スイッチ部６４は、トランジスタＴＲ７と、抵抗Ｒ１１と、抵抗Ｒ１２と、トランジスタＴＲ８とを含む。トランジスタＴＲ７のドレインＤは、検知回路部６２ａの抵抗Ｒ９および抵抗Ｒ１０の他方端に接続されている。また、トランジスタＴＲ７のソースＳは、コネクタ部７に接続されている。また、トランジスタＴＲ７のゲートＧは、抵抗Ｒ１１を介してトランジスタＴＲ７のドレインＤに接続されているとともに、抵抗Ｒ１２を介してトランジスタＴＲ８のコレクタＣに接続されている。なお、トランジスタＴＲ８のベースＢは、サブマイコン５の検知ライン１０が接続されたＡ／Ｄポート５ａとは異なるポート（上記トランジスタＴＲ６のベースＢに接続されたポートとも異なるポート）に接続されているとともに、トランジスタＴＲ８のエミッタＥは、接地されている。
【００４５】
次に、図３〜図６を参照して、本発明の一実施形態によるＢＤレコーダ１００の異常検知部６の各部の正常動作時、未接続エラー発生時および過電流エラー発生時における動作について説明する。
【００４６】
（正常動作時）
まず、図３および図４を参照して、故障（短絡）のない機器８がコネクタ部７に接続された状態で電源部１がオン状態となることにより、未接続エラーも過電流エラーも発生せずに機器８が正常に動作する場合について説明する。
【００４７】
正常動作時では、まず、図４に示すように、時間ｔ１において、電源部１がオン状態となることにより、電源部１に接続された電圧出力部１ａ（出力電圧Ｖ０：約３．３Ｖ）（図３参照）からサブマイコン５の１つのＡ／Ｄポート５ａに、検知ライン１０を介してＨレベルの電圧値Ｖ０（約３．３Ｖ）の電圧が入力される。そして、時間ｔ２において、サブマイコン５は、第１スイッチ部６３をオン状態として接続検知部６１の動作を開始させることにより、接続検知を開始する。
【００４８】
上記のように第１スイッチ部６３がオン状態となった場合では、接続検知部６１の検知回路部６１ａのトランジスタＴＲ１（図３参照）がオン状態となるとともに、接続検知部６１の接地回路部６１ｂのトランジスタＴＲ２（図３参照）がオン状態となる。これにより、検知ライン１０が接地回路部６１ｂを介して接地され、電圧出力部１ａからの出力電圧Ｖ０（約３．３Ｖ）が抵抗Ｒ５およびＲ６（図３参照）により分圧されて検知ライン１０に供給される。その結果、図４に示すように、時間ｔ２において、検知ライン１０を介してサブマイコン５のＡ／Ｄポート５ａに入力される電圧値は、Ｈレベルの電圧値Ｖ０（約３．３Ｖ）から中間レベルの電圧値Ｖ１（約１．７Ｖ）に低下する。これにより、サブマイコン５は、コネクタ部７に故障（短絡）のない機器８が接続されたこと（未接続エラーが発生していないこと）を検知する。そして、時間ｔ３において、サブマイコン５は、第２スイッチ部６４をオン状態として、過電流検知部６２の動作を開始させる。
【００４９】
ここで、正常動作時では、コネクタ部７に接続された機器８に故障（短絡）がなく、過電流が発生しない。また、過電流検知部６２の検知回路部６２ａのトランジスタＴＲ３に接続された抵抗Ｒ９（抵抗値：約０．２２Ω）（図３参照）は、接続検知部６１の検知回路部６１ａのトランジスタＴＲ１に接続された抵抗Ｒ１（抵抗値：約２２Ω）（図３参照）に比べて十分に小さい。このため、正常動作時では、上記のように第２スイッチ部６４がオン状態となった場合でも、過電流検知部６２の検知回路部６２ａのトランジスタＴＲ３のベースＢ（図３参照）に十分な電力が供給されず、トランジスタＴＲ３がオン状態とならない。したがって、過電流検知部６２の接地回路部６２ｂのトランジスタＴＲ４（図３参照）もオン状態とならないので、検知ライン１０が接地回路部６２ｂを介して接地されない。このため、図４に示すように、時間ｔ３においては、検知ライン１０を介してサブマイコン５のＡ／Ｄポート５ａに入力される電圧値は中間レベルの電圧値Ｖ１（約１．７Ｖ）のままである。
【００５０】
図４に示すように、サブマイコン５は、時間ｔ３から所定の時間τ２が経過して時間ｔ４になった際に、第１スイッチ部６３をオフ状態とすることにより、接続検知部６１の接地回路部６１ｂのトランジスタＴＲ２（図３参照）をオフ状態として、接続検知部６１の動作を停止させる。これにより、検知ライン１０が接地回路部６１ｂを介して接地された状態が解除されて、検知ライン１０を介してサブマイコン５のＡ／Ｄポート５ａに入力される電圧値が中間レベルの電圧値Ｖ１（約１．７Ｖ）からＨレベルの電圧値Ｖ０（約３．３Ｖ）まで上昇する。そして、サブマイコン５は、時間ｔ３から所定の時間τ１が経過して時間ｔ５になった際に、検知ライン１０を介してＡ／Ｄポート５ａに入力される電圧値の監視を開始して、過電流検知を開始する。ここで、時間ｔ５においては、検知ライン１０を介してサブマイコン５のＡ／Ｄポート５ａに入力される電圧値がＨレベルの電圧値Ｖ０（約３．３Ｖ）となっている。これにより、サブマイコン５は、時間ｔ５において、コネクタ部７に機器８が接続された状態で過電流が発生しないこと（過電流エラーが発生していないこと）を検知する。その結果、サブマイコン５は、第２スイッチ部６４をオフ状態として過電流検知部６２の動作を停止させることなく、時間ｔ５以降（時間ｔ６以降）も時間ｔ５の状態を継続させる。
【００５１】
（未接続エラー発生時）
次に、図３および図５を参照して、機器８がコネクタ部７に接続されていない状態で電源部１がオン状態となることにより、未接続エラーが発生した場合について説明する。
【００５２】
図５に示すように、未接続エラー発生時においても、上記正常動作時（図４参照）と同様に、時間ｔ１において、電源部１がオン状態となることにより、電源部１に接続された電圧出力部１ａ（出力電圧：約３．３Ｖ）（図３参照）からサブマイコン５の１つのＡ／Ｄポート５ａに、検知ライン１０を介してＨレベルの電圧値Ｖ０（約３．３Ｖ）の電圧が入力される。そして、時間ｔ２において、サブマイコン５は、第１スイッチ部６３をオン状態として接続検知部６１の動作を開始させることにより、接続検知を開始する。
【００５３】
ここで、未接続エラー発生時では、コネクタ部７に機器８が接続されていないため、第１スイッチ部６３がオン状態となった場合でも、接続検知部６１の検知回路部６１ａのトランジスタＴＲ１（図３参照）に電力が供給されない。したがって、トランジスタＴＲ１がオン状態とならず、接続検知部６１の接地回路部６１ｂのトランジスタＴＲ２（図３参照）もオン状態とならない。これにより、未接続エラー発生時では、時間ｔ２において、検知ライン１０を介してサブマイコン５のＡ／Ｄポート５ａに入力される電圧値が、初期値であるＨレベルの電圧値Ｖ０（約３．３Ｖ）のまま変化しない。その結果、サブマイコン５は、コネクタ部７に機器８が接続されていないこと（未接続エラーが発生したこと）を検知して、時間ｔ３において、第１スイッチ部６３をオフ状態として、接続検知部６１の動作を停止させる。
【００５４】
上記のようにコネクタ部７に機器８が接続されていないことが検知された場合では、サブマイコン５は、第２スイッチ部６４をオン状態にしないことにより、過電流検知部６２の動作を開始させない。このため、図４に示すように、未接続エラー発生時では、時間ｔ３以降（時間ｔ４〜ｔ６以降）において、第２スイッチ部６４も、過電流検知部６２の接地回路部６２ｂのトランジスタＴＲ４（図３参照）もオン状態とならず、検知ライン１０を介してサブマイコン５のＡ／Ｄポート５ａに入力される電圧値はＨレベルの電圧値Ｖ０（約３．３Ｖ）のままである。
【００５５】
（過電流エラー発生時）
次に、図３および図６を参照して、故障（短絡）した機器８がコネクタ部７に接続された状態で電源部１がオン状態となることにより、過電流エラーが発生した場合について説明する。
【００５６】
図６に示すように、過電流エラー発生時においても、上記正常動作時（図４参照）と同様に、時間ｔ１において、電源部１がオン状態となることにより、電源部１に接続された電圧出力部１ａ（図３参照）からサブマイコン５のＡ／Ｄポート５ａに検知ライン１０を介して電圧値Ｖ０（約３．３Ｖ）の電圧が入力される。そして、時間ｔ２において、サブマイコン５は、第１スイッチ部６３をオン状態として接続検知部６１の動作を開始させることにより、接続検知を開始する。ここで、時間ｔ２においては、検知ライン１０を介してサブマイコン５のＡ／Ｄポート５ａに入力される電圧値が、Ｈレベルの電圧値Ｖ０（約３．３Ｖ）から中間レベルの電圧値Ｖ１（約１．７Ｖ）に低下する。これにより、サブマイコン５は、コネクタ部７に故障（短絡）のない機器８が接続されたこと（未接続エラーが発生していないこと）を検知する。そして、時間ｔ３において、サブマイコン５は、第２スイッチ部６４をオン状態として、過電流検知部６２の動作を開始させる。
【００５７】
ここで、過電流エラー発生時では、コネクタ部７に接続された機器８に故障（短絡）があるため、過電流が発生する。このため、上記のように第２スイッチ部６４がオン状態となった場合には、過電流検知部６２の検知回路部６２ａのトランジスタＴＲ２のベースＢ（図３参照）に十分な電力が供給されて、トランジスタＴＲ２がオン状態となる。したがって、過電流検知部６２の接地回路部６２ｂのトランジスタＴＲ４（図３参照）もオン状態となって、検知ライン１０が接地回路部６２ｂを介して接地される。その結果、図６に示すように、時間ｔ３において、検知ライン１０を介してサブマイコン５のＡ／Ｄポート５ａに入力される電圧値は、中間レベルの電圧値Ｖ１（約１．７Ｖ）からＬレベルの電圧値Ｖ２（約０Ｖ）まで低下する。
【００５８】
図６に示すように、サブマイコン５は、時間ｔ３から所定の時間τ２が経過して時間ｔ４になった際に、第１スイッチ部６３をオフ状態とすることにより、接続検知部６１の接地回路部６１ｂのトランジスタＴＲ２（図３参照）をオフ状態として、接続検知部６１の動作を停止させる。そして、サブマイコン５は、時間ｔ３から所定の時間τ１が経過して時間ｔ５になった際に、検知ライン１０を介してＡ／Ｄポート５ａに入力される電圧値の監視を開始して、過電流検知を開始する。ここで、過電流エラー発生時では、時間ｔ５において、検知ライン１０を介してサブマイコン５のＡ／Ｄポート５ａに入力される電圧値がＬレベルの電圧値Ｖ２（約０Ｖ）となっている。これにより、サブマイコン５は、時間ｔ５において、コネクタ部７に接続された機器８の故障（短絡）に起因して過電流が発生したこと（過電流エラーが発生したこと）を検知する。そして、時間ｔ６において、サブマイコン５は、第２スイッチ部６４をオフ状態とすることにより、過電流検知部６２の接地回路部６２ｂのトランジスタＴＲ４（図３参照）をオフ状態として、過電流検知部６２の動作を停止させる。その結果、検知ライン１０が接地回路部６２ｂを介して接地された状態が解除され、検知ライン１０を介してサブマイコン５のＡ／Ｄポート５ａに入力される電圧値がＬレベルの電圧値Ｖ２（約０Ｖ）からＨレベルのＶ０（約３．３Ｖ）まで上昇する。
【００５９】
次に、図７を参照して、本発明の一実施形態によるＢＤレコーダ１００のサブマイコン５により接続検知および過電流検知が行われる際に実行される処理フローについて説明する。この処理フローは、電源部１がオン状態になってサブマイコン５への電力の供給が開始された際に実行される。
【００６０】
この処理フローにおいては、まず、図７に示すように、ステップＳ１において、接続検知部６１の動作を開始させる処理が実行される。具体的には、接続検知部６１に接続された第１スイッチ部６３のトランジスタＴＲ５（図３参照）をオン状態にする処理が実行される。そして、ステップＳ２に進む。
【００６１】
次に、ステップＳ２において、コネクタ部７に機器８（ＨＤＤ８ａ、ディスクドライブ８ｂまたは冷却ファン８ｃ：図１参照）が接続されたことが検知されたか否かを判断する処理が実行される。具体的には、上記ステップＳ１の処理により第１スイッチ部６３のトランジスタＴＲ５（図３参照）がオン状態になることに起因して、接続検知部６１の検知回路部６１ａのトランジスタＴＲ１（図３参照）と接地回路部６１ｂのトランジスタＴＲ２（図３参照）とがオン状態になって、検知ライン１０が接地回路部６１ｂを介して接地される結果、検知ライン１０を介してサブマイコン５に入力される電圧値が中間レベルの電圧値Ｖ１になったか否かが判断される。
【００６２】
上記ステップＳ２において、コネクタ部７に機器８が接続されたことが検知されなかった場合（検知ライン１０を介してサブマイコン５に入力される電圧値が中間レベルの電圧値Ｖ１にならなかった場合）には、ステップＳ３に進む。そして、ステップＳ３において、接続検知部６１の動作を停止させる処理（第１スイッチ部６３のトランジスタＴＲ５（図３参照）をオフ状態にする処理）が実行され、ステップＳ４に進む。そして、ステップＳ４において、コネクタ部７に機器８が接続されていない旨をユーザに報知する処理（未接続エラーが発生した旨をユーザに報知する処理）が実行され、処理が終了される。
【００６３】
一方、上記ステップＳ２において、コネクタ部７に機器８が接続されたことが検知された場合（検知ライン１０を介してサブマイコン５に入力される電圧値が中間レベルの電圧値Ｖ１になった場合）には、ステップＳ５に進む。そして、ステップＳ５において、過電流検知部６２の動作を開始させる処理が実行される。具体的には、過電流検知部６２に接続された第２スイッチ部６４のトランジスタＴＲ７（図３参照）をオン状態にする処理が実行される。そして、ステップＳ６において、接続検知部６１の動作を停止させる処理（第１スイッチ部６３のトランジスタＴＲ５（図３参照）をオフ状態にする処理）が実行される。なお、このステップＳ６の処理は、上記ステップＳ５の処理が実行された後、所定の時間τ２（図４〜図６参照）が経過した後に実行される。そして、ステップＳ７に進む。
【００６４】
ステップＳ７においては、上記ステップＳ５の処理により過電流検知部６２の動作が開始されてから所定の時間τ１（図４〜図６参照）が経過したか否かが判断される。このステップＳ７の処理は、過電流検知部６２の動作が開始されてから所定の時間τ１が経過したと判断されるまで繰り返される。そして、ステップＳ７において、過電流検知部６２の動作が開始されてから所定の時間τ１が経過したと判断された場合には、ステップＳ８に進む。
【００６５】
次に、ステップＳ８において、コネクタ部７に接続された機器８の故障（短絡）などに起因して発生する過電流が検知されたか否かを判断する処理が実行される。具体的には、コネクタ部７に接続された機器８の故障（短絡）した状態で、上記ステップＳ５の処理により第２スイッチ部６４のトランジスタＴＲ７（図３参照）がオン状態になることに起因して、過電流検知部６２の検知回路部６２ａのトランジスタＴＲ３（図３参照）と接地回路部６２ｂのトランジスタＴＲ４（図３参照）とがオン状態になって、検知ライン１０が接地回路部６２ｂを介して接地される結果、検知ライン１０を介してサブマイコン５に入力される電圧値がＬレベルの電圧値Ｖ２になったか否かが判断される。
【００６６】
上記ステップＳ８において、過電流が検知されなかった場合（検知ライン１０を介してサブマイコン５に入力される電圧値がＬレベルの電圧値Ｖ２にならなかった場合）には、処理が終了される。その一方、上記ステップＳ８において、過電流が検知された場合（検知ライン１０を介してサブマイコン５に入力される電圧値がＬレベルの電圧値Ｖ２になった場合）には、ステップＳ９に進む。
【００６７】
ステップＳ９においては、過電流検知部６２の動作を停止させる処理（第２スイッチ部６４をオフ状態にする処理）が実行され、ステップＳ１０に進む。そして、ステップＳ１０において、コネクタ部７に接続された機器８の故障（短絡）などに起因して過電流が発生した旨をユーザに報知する処理（過電流エラーが発生した旨をユーザに報知する処理）が実行され、処理が終了される。
【００６８】
本実施形態では、上記のように、サブマイコン５を、接続検知部６１および過電流検知部６２を動作させた際に共通の検知ライン１０を介して入力される電圧値に基づいて、接続検知および過電流検知を行うように構成する。これにより、共通の検知ライン１０を介して入力される電圧値を監視するだけで、接続検知および過電流検知の両方を行うことができるので、複雑な制御を行うことなく接続検知および過電流検知を行うことができる。
【００６９】
また、本実施形態では、上記のように、共通の検知ライン１０を、サブマイコン５の１つのＡ／Ｄポート５ａに接続する。これにより、接続検知部６１および過電流検知部６２の検知結果がサブマイコン５の２つのポートにそれぞれ別々に入力される場合と異なり、接続検知部６１および過電流検知部６２の検知結果が共通の検知ライン１０を介してサブマイコン５の１つのＡ／Ｄポート５ａに入力されるので、接続検知および過電流検知の両方を１つのＡ／Ｄポート５ａによって容易に行うことができるとともに、接続検知および過電流検知を行うための回路構成を簡略化することができる。また、サブマイコン５の１つのＡ／Ｄポート５ａ以外の残りのポートを全て他の制御に使用することができるので、サブマイコン５の制御対象を増加させることができる。
【００７０】
また、本実施形態では、上記のように、サブマイコン５を、接続検知部６１を動作させた際に共通の検知ライン１０を介して入力される電圧値が中間レベル（第１電圧範囲）の電圧値Ｖ１（約１．７Ｖ）になったことに基づいて、コネクタ部７に機器８（ＨＤＤ８ａ、ディスクドライブ８ｂまたは冷却ファン８ｃ：図１参照）が接続されたことを検知するように構成する。また、サブマイコン５を、過電流検知部６２を動作させた際に共通の検知ライン１０を介して入力される電圧値がＬレベル（第２電圧範囲）の電圧値Ｖ２（約０Ｖ）になったことに基づいて、コネクタ部７に機器８が接続された状態で過電流が発生したことを検知するように構成する。これにより、共通の検知ライン１０を介して入力される電圧値が中間レベルの電圧値になったか否か、および、Ｌレベルの電圧値になったか否かをそれぞれ監視することにより、接続検知および過電流検知を容易に行うことができる。
【００７１】
また、本実施形態では、上記のように、接続検知部６１を、コネクタ部７に機器８が接続された場合に、共通の検知ライン１０を接地することにより、共通の検知ライン１０を介してサブマイコン５に入力される電圧値を中間レベル（第１電圧範囲）の電圧値Ｖ１にするように構成する。また、過電流検知部６２を、コネクタ部７に機器８が接続された状態で過電流が発生した場合に、共通の検知ライン１０を接地することにより、共通の検知ライン１０を介してサブマイコン５に入力される電圧値をＬレベル（第２電圧範囲）の電圧値Ｖ２にするように構成する。これにより、コネクタ部７に機器８が接続された場合には、共通の検知ライン１０が接地されるので、コネクタ部７に機器８が接続された場合に、容易に、共通の検知ライン１０を介してサブマイコン５に入力される電圧値を中間レベルの電圧値Ｖ１にすることができる。また、コネクタ部７に機器８が接続された状態で過電流が発生した場合には、共通の検知ライン１０が接地されるので、過電流が発生した場合に、容易に、共通の検知ライン１０を介してサブマイコン５に入力される電圧値をＬレベルの電圧値Ｖ２にすることができる。
【００７２】
また、本実施形態では、上記のように、サブマイコン５を、接続検知部６１を動作させた際に共通の検知ライン１０を介して入力される電圧値に基づいて、コネクタ部７に機器８が接続されたことを検知した場合に、過電流検知部６２の動作を開始させて、過電流検知部６２を動作させた際に共通の検知ライン１０を介して入力される電圧値を監視するように構成する。これにより、コネクタ部７に機器８が接続された場合に、過電流検知部６２の動作が開始されるので、コネクタ部７に機器８が接続されていない状態で過電流検知部６２が動作することに起因する不要な消費電力を低減することができる。
【００７３】
また、本実施形態では、上記のように、サブマイコン５を、過電流検知部６２の動作を開始させてから所定の時間τ１（図４〜図６参照）が経過した後に、共通の検知ライン１０を介して入力される電圧値の監視を開始するように構成する。これにより、過電流検知部６２の動作が開始されてから所定の時間τ１が経過した後の安定した状態の電圧値に基づいて、過電流検知を正確に行うことができる。
【００７４】
また、本実施形態では、上記のように、サブマイコン５を、過電流検知部６２の動作を開始させた場合には、接続検知部６１の動作を停止させるように構成する。これにより、過電流検知が行われる際に、過電流検知部６２と接続検知部６１とが両方動作することがないので、過電流検知が行われる際に接続検知部６１が動作することに起因する誤検知を抑制することができる。
【００７５】
また、本実施形態では、上記のように、サブマイコン５を、接続検知部６１を動作させた際に共通の検知ライン１０を介して入力される電圧値に基づいて、コネクタ部７に機器８が接続されたことを検知しない場合には、接続検知部６１の動作を停止させるとともに、過電流検知部６２の動作を開始させないように構成する。これにより、コネクタ部７に機器８が接続されたことが検知されない場合には、過電流検知部６２の動作が開始されないので、コネクタ部７に機器８が接続されていない状態で過電流検知部６２が動作することに起因する不要な消費電力を容易に低減することができる。
【００７６】
また、本実施形態では、上記のように、サブマイコン５を、第１スイッチ部６３および第２スイッチ部６４をそれぞれ切り替えることにより、接続検知部６１および過電流検知部６２の動作の制御を行うように構成する。これにより、第１スイッチ部６３および第２スイッチ部６４によって、接続検知部６１および過電流検知部６２の動作の開始および停止を容易に切り替えることができる。
【００７７】
また、本実施形態では、上記のように、接続検知および過電流検知の検知結果（未接続エラーが発生した旨、および、過電流エラーが発生した旨）をユーザに報知するための報知部９を設ける。これにより、報知部９によって、接続検知および過電流検知の検知結果を容易にユーザに報知することができる。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
たとえば、上記実施形態では、本発明の電子機器の一例としてＢＤレコーダを示したが、本発明はこれに限らない。本発明は、ＢＤレコーダ以外にも、接続検知部および過電流検知部を備えた一般的な電子機器に適用可能である。
【００８０】
また、上記実施形態では、接続検知部および過電流検知部を含む異常検知部を、複数のコネクタ部に対応するように複数設ける例を示したが、本発明はこれに限らない。本発明では、接続検知部および過電流検知部を含む異常検知部を１つだけ設け、その１つの異常検知部を複数のコネクタ部に対して共通に用いてもよい。すなわち、１つの異常検知部と複数のコネクタ部の各々との接続を切り替えることにより、各コネクタ部に接続された機器の異常検知を行ってもよい。
【００８１】
また、上記実施形態では、本発明の機器の一例として、ＢＤレコーダ（電子機器）に内蔵されたＨＤＤ、ディスクドライブおよび冷却ファンを示したが、本発明はこれに限らない。本発明の機器は、ＢＤレコーダ（電子機器）に外部から取り付けられるＵＳＢメモリなどの外部機器であってもよい。
【００８２】
また、上記実施形態では、電圧値がＨレベルか否かを判定する基準となる電圧値（第１しきい値）を２．５Ｖとするとともに、Ｌレベル（第２電圧範囲）か否かを判定する基準となる電圧値（第２しきい値）を１．０Ｖとすることにより、中間レベル（第１電圧範囲）を規定する例を示したが、本発明はこれに限らない。本発明では、中間レベルの電圧範囲（第１電圧範囲）とＬレベルの電圧範囲（第２電圧範囲）とが互いに異なっていれば、第１しきい値（Ｈレベルの下限の電圧値）を２．５Ｖ以外の電圧値としてもよいし、第２しきい値（Ｌレベルの上限の電圧値）を１．０Ｖ以外の電圧値としてもよい。また、本発明では、第１しきい値および第２しきい値をユーザが任意に設定可能に構成してもよい。
【００８３】
また、上記実施形態では、過電流検知部の動作が開始されてから所定の時間が経過した後に、共通の検知ラインを介して入力される電圧値の監視を開始するようにサブマイコン（制御部）が構成された例を示したが、本発明はこれに限らない。本発明では、過電流検知部の動作が開始された直後から、共通の検知ラインを介して入力される電圧値を監視するようにサブマイコンを構成してもよい。
【００８４】
また、上記実施形態では、過電流検知部の動作が開始された場合に、接続検知部の駆動が停止される例を示したが、本発明はこれに限らない。本発明では、過電流検知部と接続検知部とが両方同時に動作していてもよい。
【００８５】
また、上記実施形態では、報知部の一例として、コネクタ部に機器が接続されていない旨（未接続エラー）や、コネクタ部に機器が接続された状態で過電流が発生した旨（過電流エラー）などを表示可能な表示部を示したが、本発明はこれに限らない。本発明では、報知部として、未接続エラーや過電流エラーなどをユーザに音声で報知する音声出力部などを用いてもよい。
【符号の説明】
【００８６】
５  サブマイコン（制御部）
５ａ  Ａ／Ｄポート（ポート）
７  コネクタ部
８  機器
８ａ  ＨＤＤ（機器）
８ｂ  ディスクドライブ（機器）
８ｃ  冷却ファン（機器）
９  報知部
１０  検知ライン
６１  接続検知部
６２  過電流検知部
６３  第１スイッチ部
６４  第２スイッチ部
１００  ＢＤレコーダ（電子機器）
【図１】
2014138464.tif 000003
【図２】
2014138464.tif 000004
【図３】
2014138464.tif 000005
【図４】
2014138464.tif 000006
【図５】
2014138464.tif 000007
【図６】
2014138464.tif 000008
【図７】
2014138464.tif 000009